(57)【要約】【課題】多段階層構造を持つ各フォルダに分けて格納された音楽などの情報を、選択の際に各フォルダが同階層にあるように表示することにより、下位階層を含めどの階層内の情報も容易に選択可能とする情報再生表示装置、方法及びプログラムを提供すること。【解決手段】再生リスト管理テーブルに基づき、記録媒体内にある各フォルダについて、異なる階層のフォルダに関する情報も互いに階層によらず相互に同列の形式でリスト表示する図４（ａ）。そのようにリスト表示された各フォルダから選択されたフォルダ内に他のフォルダを経ずに直接配置されているファイルを、リスト表示する図４（ｂ）（ｃ）。【選択図】　図４
2004030116.tif 000002
【特許請求の範囲】
【請求項１】
多段に階層を構成できるフォルダを用いて情報が記録された記録媒体から情報を再生する情報再生表示装置において、
セットされた前記記録媒体内にある各フォルダを、前記階層によらず相互に同列の形式で表示する手段と、
選択されたフォルダ内に他のフォルダを経ずに直接配置されているファイルを、リスト表示する手段と、
を備えたことを特徴とする情報再生表示装置。
【請求項２】
情報が複数の階層のフォルダに分けて記録された記録媒体から情報を再生する情報再生表示装置であって、
前記記録媒体に含まれるファイル及びフォルダに関するファイル情報を検索することにより、フォルダごとにどのようなファイルが格納されているかを表す管理テーブルを得る手段と、
得られた前記管理テーブルに基づき、異なる階層のフォルダに関する情報も互いに同列の形式で表示する手段と、
を備えたことを特徴とする情報再生表示装置。
【請求項３】
多段に階層を構成できるフォルダを用いて情報が記録された記録媒体から情報を再生する情報再生表示方法において、
セットされた前記記録媒体内にある各フォルダを、前記階層によらず相互に同列の形式で表示し、
選択されたフォルダ内に他のフォルダを経ずに直接配置されているファイルを、リスト表示することを特徴とする情報再生表示方法。
【請求項４】
情報が複数の階層のフォルダに分けて記録された記録媒体から情報を再生する情報再生表示方法であって、
前記記録媒体に含まれるファイル及びフォルダに関するファイル情報を検索することにより、フォルダごとにどのようなファイルが格納されているかを表す管理テーブルを得て、
得られた前記管理テーブルに基づき、異なる階層のフォルダに関する情報も互いに同列の形式で表示することを特徴とする情報再生表示方法。
【請求項５】
コンピュータを制御することにより、多段に階層を構成できるフォルダを用いて情報が記録された記録媒体から情報を再生する情報再生表示プログラムにおいて、
そのプログラムは前記コンピュータに、
セットされた前記記録媒体内にある各フォルダを、前記階層によらず相互に同列の形式で表示させ、
選択されたフォルダ内に他のフォルダを経ずに直接配置されているファイルを、リスト表示させることを特徴とする情報再生表示プログラム。
【請求項６】
コンピュータを制御することにより、情報が複数の階層のフォルダに分けて記録された記録媒体から情報を再生する情報再生表示プログラムであって、
そのプログラムは前記コンピュータに、
前記記録媒体に含まれるファイル及びフォルダに関するファイル情報を検索することにより、フォルダごとにどのようなファイルが格納されているかを表す管理テーブルを得させ、
得られた前記管理テーブルに基づき、異なる階層のフォルダに関する情報も互いに同列の形式で表示させることを特徴とする情報再生表示プログラム。
【発明の詳細な説明】
【０００１】
【発明の属する技術分野】
本発明は、多段階層構造を持つ各フォルダに分けて格納された音楽などの情報を、選択の際に各フォルダが同階層にあるように表示することにより、下位階層を含めどの階層内の情報も容易に選択可能とする情報再生表示装置、方法及びプログラムに関するものである。
【０００２】
【従来の技術】
近年、デジタル技術の発達に伴い、ＭＰ３やＷＭＡ（Ｗｉｎｄｏｗｓ　Ｍｅｄｉａ　Ａｕｄｉｏ）といったオーディオ圧縮技術と、ＣＤ−Ｒ、ＣＤ−ＲＷ、フラッシュメモリといった記録媒体（「メディア」とも呼ぶ）及びその再生装置（記録機能を持つものを含む。以下同じ）が普及し、ユーザが個人的に自分の好みに合わせた多数のオーディオデータのファイルを、一枚のメディアに記録し再生することが増えている。
【０００３】
このような場合、ファイルを階層構造のフォルダに整理する機能が提案されており、そのような再生装置では、図５に例示するように、上位のフォルダ内にいくつかのファイルやフォルダを収める階層構造が用いられる。このような階層構造を用いる場合、典型例としては、例えばＣＤのルートフォルダ内に複数のフォルダを設け、所望のフォルダ内に音楽情報を記録すると共に、所望のフォルダ内にさらにサブフォルダを設け、そのサブフォルダにも音楽情報を記録する。このようにすれば、曲のジャンルや好みのアーティストなどに応じたファイル整理が可能となる。
【０００４】
このような階層構造において、例えば、サブフォルダであるフォルダＦ２の中にあるファイルＭ７を選択するには、ルートフォルダＦＲから、まず、上位フォルダであるフォルダＦ１を選択すると、その選択によってサブフォルダＦ２，Ｆ３がリストとして表示される。そこて、その中からフォルダＦ２を選択することにより、ファイルＭ６〜Ｍ９のファイルリストが表示され、そこから初めて、目的のオーディオデータファイルＭ７を選択することができる。なお、ここでのルートフォルダとは、ＣＤ全体を一つのフォルダだと考え、それをルートフォルダと称するものである。
【０００５】
【発明が解決しようとする課題】
しかし、上記のような従来技術では、下位階層内のファイルほど辿り着くまでの経路が遠く、効率的な選択操作が困難という問題点があった。例えば、上の例でもサブフォルダＦ２内のファイルを選択するまでに少なくとも２回のフォルダ選択を行わなければならず、さらに下位層のフォルダがある場合はそれに応じてフォルダの選択回数はさらに多くなる。場合によっては、どこまで下の階層にファイルが存在するかが判らなくなったり、途中の階層で誤った分岐をすると、後戻りの繰り返しとなる煩雑さもあった。
【０００６】
本発明は、上記のような従来技術の問題点を解決するために提案されたもので、その目的は、多段階層構造を持つ各フォルダに分けて格納された音楽などの情報を、選択の際に各フォルダが同階層にあるように表示することにより、下位階層を含めどの階層内の情報も容易に選択可能とする情報再生表示装置、方法及びプログラムを提供することである。
【０００７】
【課題を解決するための手段】
上記の目的を達成するため、請求項１の発明は、多段に階層を構成できるフォルダを用いて情報が記録された記録媒体から情報を再生する情報再生表示装置において、セットされた前記記録媒体内にある各フォルダを、前記階層によらず相互に同列の形式で表示する手段と、選択されたフォルダ内に他のフォルダを経ずに直接配置されているファイルを、リスト表示する手段と、を備えたことを特徴とする。
【０００８】
請求項３の発明は、請求項１の発明を方法という見方から捉えたもので、多段に階層を構成できるフォルダを用いて情報が記録された記録媒体から情報を再生する情報再生表示方法において、セットされた前記記録媒体内にある各フォルダを、前記階層によらず相互に同列の形式で表示し、選択されたフォルダ内に他のフォルダを経ずに直接配置されているファイルを、リスト表示することを特徴とする。
【０００９】
請求項５の発明は、請求項１，３の発明をコンピュータプログラムという見方から捉えたもので、コンピュータを制御することにより、多段に階層を構成できるフォルダを用いて情報が記録された記録媒体から情報を再生する情報再生表示プログラムにおいて、そのプログラムは前記コンピュータに、セットされた前記記録媒体内にある各フォルダを、前記階層によらず相互に同列の形式で表示させ、選択されたフォルダ内に他のフォルダを経ずに直接配置されているファイルを、リスト表示させることを特徴とする。
【００１０】
請求項２の発明は、情報が複数の階層のフォルダに分けて記録された記録媒体から情報を再生する情報再生表示装置であって、前記記録媒体に含まれるファイル及びフォルダに関するファイル情報を検索することにより、フォルダごとにどのようなファイルが格納されているかを表す管理テーブルを得る手段と、得られた前記管理テーブルに基づき、異なる階層のフォルダに関する情報も互いに同列の形式で表示する手段と、を備えたことを特徴とする。
【００１１】
請求項４の発明は、請求項２の発明を方法という見方から捉えたもので、情報が複数の階層のフォルダに分けて記録された記録媒体から情報を再生する情報再生表示方法であって、前記記録媒体に含まれるファイル及びフォルダに関するファイル情報を検索することにより、フォルダごとにどのようなファイルが格納されているかを表す管理テーブルを得て、得られた前記管理テーブルに基づき、異なる階層のフォルダに関する情報も互いに同列の形式で表示することを特徴とする。
【００１２】
請求項６の発明は、請求項２，４の発明をコンピュータプログラムという見方から捉えたもので、コンピュータを制御することにより、情報が複数の階層のフォルダに分けて記録された記録媒体から情報を再生する情報再生表示プログラムであって、そのプログラムは前記コンピュータに、前記記録媒体に含まれるファイル及びフォルダに関するファイル情報を検索することにより、フォルダごとにどのようなファイルが格納されているかを表す管理テーブルを得させ、得られた前記管理テーブルに基づき、異なる階層のフォルダに関する情報も互いに同列の形式で表示させることを特徴とする。
【００１３】
これらの態様では、音楽等の圧縮オーディオデータファイルなどの情報について、フォルダが複数段の階層になっていても、異なる階層のフォルダも同列の形式や扱いで表示するので、一覧から所望のフォルダを直接選択してその中のファイル一覧を呼び出すことが可能となり、階層表示を辿る従来技術と比べて階層選択回数が減り、下位の階層にあるファイルについてもファイル選択操作が容易になる。
【００１４】
【発明の実施の形態】
次に、本発明の実施の形態（以下「実施形態」と呼ぶ）について、添付の図面を参照して具体的に説明する。なお、本実施形態は、コンピュータをプログラムで制御することにより実現され、情報再生表示装置（以下「本装置」と呼ぶ）だけでなく方法及びプログラムとしても把握可能であるが、具体的なプログラムやハードウェアの実現態様は各種変更可能であるから、以下の説明では、本発明及び本実施形態の各機能を実現する仮想的回路ブロックを用いる。
【００１５】
〔１．構成〕
本装置は、多段に階層を構成できるフォルダを用いて情報が記録された記録媒体から情報を再生する装置である。ここで、ユーザが自分の好みで記録する場合、ＣＤ−ＲやＣＤ−ＲＷに記録することが多いので、以下ではディスクを再生する場合について説明する。なお、再生する記録媒体はディスクに限らず、メモリーカードやハードディスクなどの記録媒体に記録された音楽や映像等の再生装置にも本発明を適用可能である。
【００１６】
まず、本装置は、図１の機能ブロック図に示す以下の各構成要素を備える。すなわち、ディスク再生装置１は、音楽情報が記録されたＣＤやＤＶＤなどの記録媒体（ディスク）を再生する装置で、実際にはスピーカに音を出すための処理のため各種回路が使用されるが、それらの回路は従来と同様でよく、詳細は省略する。
【００１７】
また、ＣＰＵ２は、本発明の特徴に関わる制御を司る部分で、記録媒体からの情報の読み取り、操作手段からの操作に応じた各種制御、情報の記憶や表示に関する各種制御を行う。
【００１８】
特に、ＣＰＵ２は前記プログラムにより、図１に示す次の部分として作用するよう制御される。まず、検索部２１は、前記記録媒体に含まれるファイル及びフォルダに関するファイル情報を検索することにより、フォルダごとにどのようなファイルが格納されているかを表す管理テーブルを得る手段であり、再生リスト管理テーブル３は、前記管理テーブルを所定の形式すなわち、ルートからのパス名等で表されるフォルダと、そのフォルダ内に直接置かれたファイル名称との組合せの形で記憶する部分であり、単に管理テーブルとも呼ぶ。
【００１９】
また、表示選択処理部２２は、再生リスト管理テーブル３に基づき、ディスク再生装置１にセットされた前記記録媒体内にある各フォルダについて、異なる階層のフォルダに関する情報も互いに階層によらず相互に同列の形式でリスト表示する手段であり、また、そのようにリスト表示された選択されたフォルダ内に他のフォルダを経ずに直接配置されているファイルを、リスト表示する手段である。
【００２０】
また、操作部４は、曲の選択やその他の制御を行うために操作キー等からユーザが操作その他の情報を入力するための部分であり、ここでは液晶表示パネル等の表示手段と一体となったタッチパネルＰが考えられるが、表示手段とは別体の操作部であってもよい。また、表示部５は、検索されたファイル名を表示、選択するためのメニュー画面の表示のほか各種表示を行う部分である。
【００２１】
〔２．作用〕
上記のように構成された本実施形態は、次のように作用する。
〔２−１．大まかな作用〕
検索部２１は、ディスク再生装置１にセットされた記録媒体に含まれるファイル及びフォルダに関するファイル情報を検索することにより、フォルダごとにどのようなファイルが格納されているかを表す管理テーブルを得て、再生リスト管理テーブル３に格納する。
【００２２】
この再生リスト管理テーブル３のデータ構造は、ルートからのパス名等で表されるフォルダと、そのフォルダ内に直接置かれたファイル名称との組合せの形であり、図５の階層構造に基く再生リスト管理テーブル３は図２のようになる。なお、記録媒体側におけるファイル情報の形式は自由であるが、コンピュータのディレクトリやＦＡＴ、ＣＤやＭＤといったオーディオディスクのＴＯＣ（Ｔａｂｌｅ　Ｏｆ　Ｃｏｎｔｅｎｔｓ）にあたる。
【００２３】
また、表示選択処理部２２は、再生リスト管理テーブル３に基づき、記録媒体内にある各フォルダについて、異なる階層のフォルダに関する情報も互いに階層によらず相互に同列の形式でリスト表示する。また、表示選択処理部２２は、そのようにリスト表示された各フォルダから選択されたフォルダ内に他のフォルダを経ずに直接配置されているファイルを、リスト表示する。
【００２４】
以下、図５の階層構造を例に取り、管理テーブルの取得と、表示とに分けて、より具体的な動作を説明する。
【００２５】
〔２−２．管理テーブルの取得〕
まず、ディスクを挿入した時点や電源投入時等に、検索部２１により、管理テーブルの取得、すなわちディスクにどのようなフォルダがあり、各フォルダ内にどのようなファイルがあるかが検索される。この検索のための処理手順を図３のフローチャートに示す。
【００２６】
すなわち、まず、ＣＤをルートフォルダとしてルートフォルダ内のファイルが検索される（ステップ５１）。この結果、他のフォルダを介さずルートフォルダに直接記録されたファイルが検索されれば（ステップ５２）、その検索されたファイル名を再生リスト管理テーブルへ登録する（ステップ５３）。このケースには、図５のファイルＭ１，Ｍ２が相当する。なお、このフローチャートではステップ５１において、複数のファイルも検索できるものとする。
【００２７】
そして、検索されたファイルが再生リスト管理テーブルに登録されれば（ステップ５３）、ルートフォルダ内に下位フォルダが有るかどうかを検索する（ステップ５４）。なお、前述のファイルの検索（ステップ５１）において、ルートフォルダに直（じか）に置かれたファイルがなければ（ステップ５２）、ファイルの再生管理テーブルへの登録処理（ステップ５３）は省略され、フォルダがあるかどうか（ステップ５４）の処理を行う。
【００２８】
なお、この処理手順の説明では、ファイルやフォルダを１つずつ検索して登録する繰り返し処理に関する部分の説明は省略するが、具体的な処理としては、フォルダの検索ではフォルダを１個ずつ検索し処理することが前提となる。但し実装するアルゴリズムとしては、深さ優先探索でも幅優先探索でもよい。
【００２９】
そして、ステップ５４においてフォルダが検索されなければ、そのまま管理テーブルに基づきリストを表示するが（ステップ５１５）、フォルダが検索されれば（ステップ５４）そのフォルダを再生リスト管理テーブル３へ登録し（ステップ５５）、さらに、検索されたそのフォルダ内を検索する（ステップ５６）。ここでは、図５のフォルダＦ１が検索されたものとする。
【００３０】
この場合、フォルダＦ１内の検索によってファイルが検索（ステップ５７）されれば、上述のステップ５３と同様に、検索されたファイルを再生リスト管理テーブルへ登録する（ステップ５７）。この場合は図５のファイルＭ３〜Ｍ５が検索されるが、仮にファイルが検索されなければ（ステップ５７）、ファイルの登録（ステップ５８）を省略し、フォルダ内に存在する下位のフォルダを検索する（ステップ５９）。
【００３１】
ステップ５９で下位のフォルダが検索されれば（ステップ５１０）、処理対象を指すポインタ等を、検索されたフォルダへ移動し（ステップ５１１）、そのフォルダを対象として、ステップ５５〜５１０までの処理を繰り返す。
【００３２】
例えば、図５の例ではフォルダＦ１内では下位フォルダＦ２が発見されるので、フォルダＦ２中に記録されているファイルＭ６〜Ｍ９が発見され登録される（ステップ５５〜５１０）。さらに、ここでは図示しないが、仮に、フォルダＦ１にとって下位フォルダ（「サブフォルダ」とも呼ぶ）であるフォルダＦ２内に、さらに下位のサブフォルダが有れば、そのフォルダへ移動して（ステップ５１１）同様にステップ５５〜５１０）の処理が繰り返される。
【００３３】
いずれにしても、フォルダ内のファイルを検索後（ステップ５６）フォルダが見つからない場合は（ステップ５１０）、１つ上の階層のフォルダに移動する（ステップ５１２）。例えば、それまで検索していたフォルダがフォルダＦ２であれば、１つ上の階層のフォルダＦ１へ処理対象のポインタ等を移動する。
【００３４】
このように上の階層に戻った際は、そのフォルダ内において、今まで検索で抽出し再生リスト管理テーブル３に登録した以外のフォルダがあるかどうか検索する（ステップ５１３）。このとき、既にそのフォルダで全サブフォルダの検索が行われ、検索していないフォルダが存在しない場合は（ステップ５１３）、さらにもう１つ上の階層に移り（ステップ５１２）、同様に今まで検索した以外のフォルダがあるか検索する（ステップ５１３）。
【００３５】
検索が全て行われており（ステップ５１３）かつ現在位置が最上位のフォルダ（ルートフォルダ）ＦＲであれば（ステップ５１４）、全てのフォルダ及びファイルの検索登録が済んでいるので、再生リスト管理テーブル３を基に表示を行う処理へ移行する。なお、ステップ５１４において、現在のフォルダ位置が階層の最上位でなければ、ステップ５１２を含む処理が繰り返される。
【００３６】
〔２−３．管理テーブルによる表示と選択〕
以上のように得られた再生リスト管理テーブル（図２）に基き、表示選択処理部２２が、図４に例示するような表示を行うことが可能になる。すなわち、図４は、図５のような階層構造を持つディスクについて、上記のような再生リスト管理テーブル３（図２）を取得のうえ、表示される表示例を示す。この例では、図４（ａ）は、検索後、最初に表示されるメニュー画面であり、ルートフォルダを含む各フォルダの情報が、その階層とは無関係に同列にリスト表示されている。
【００３７】
一般的な使い方を例示すると、ルートフォルダ名には、ユーザーがディスクに記録するときに設定したディスクタイトル名などを表示する。また、続く各フォルダＦ１〜Ｆ４は、ルートからそのフォルダへ至るフルパス名（フォルダパス名）を表示するとわかりやすいであろう。また、例えばユーザーは、１人の歌手でディスクを作成したときルートフォルダに歌手名を記録し、フォルダにはジャンルやアルバム名を入れるなどしてフォルダ名としてもよいが、これらの使い方は例示に過ぎず、ユーザの自由である。
【００３８】
そして、図４（ａ）の画面表示で、例えばタッチパネルによりフォルダＦ２のパス名表示部分を触れるとフォルダＦ２が選択され、図４（ｂ）のような表示に移行する。また、図４（ａ）の画面表示でルートフォルダ名が選択されると、ルートフォルダＦＲに対応した図４（ｃ）の表示例となり、この画面ではルートフォルダＦＲに直接記録されたファイルＭ１，Ｍ２のファイル名が表示される。
【００３９】
このように再生可能なファイル名を含む画面上では、所望のファイル（曲）を指で触れる等により選択することで再生演奏が開始される。また、ルートフォルダに直接ファイルが記録され、フォルダが存在しない場合は、図４（ａ）の画面においてフォルダ名に代えてファイル名を表示し、それを選択させることで直ちに曲の再生演奏を開始できるようにすることが望ましい。
【００４０】
〔３．効果〕
以上のように、本実施形態では、音楽等の圧縮オーディオデータファイルなどの情報について、フォルダが複数段の階層になっていても、異なる階層のフォルダも同列の形式や扱いで表示するので、一覧から所望のフォルダを直接選択してその中のファイル一覧を呼び出すことが可能となり、階層表示を辿る従来技術と比べて階層選択回数が減り、下位の階層にあるファイルについてもファイル選択操作が容易になる。
【００４１】
〔４．他の実施形態〕
なお、本発明は、上記実施形態には限定されず、以下に例示するような他の実施形態も含むものである。すなわち、各図に示した構成、処理手順等の詳細は例示に過ぎず、適宜変更して本発明を実施することが可能であり、例えば、再生対象とする情報は、ＭＰ３やＷＭＡ（Ｗｉｎｄｏｗｓ　Ｍｅｄｉａ　Ａｕｄｉｏ）等の特定形式には限定されず、将来登場するものや映像の記録形式を含め、種類を自由に選択できる。
【００４２】
【発明の効果】
以上のように、この発明によれば、多段階層構造を持つ各フォルダに分けて格納された音楽などの情報を、選択の際に各フォルダが同階層にあるように表示することにより、下位階層を含めどの階層内の情報も容易に選択可能とする情報再生表示装置、方法及びプログラムを提供することができる。
【図面の簡単な説明】
【図１】本発明の実施形態の構成を示す機能ブロック図。
【図２】本発明の実施形態における再生リスト管理テーブルを例示する概念図。
【図３】本発明の実施形態における処理手順を示すフローチャート。
【図４】本発明の実施形態における画面表示を例示する概念図。
【図５】本発明の実施形態及び従来技術における記録媒体上の階層構造の一例を示す概念図。
【符号の説明】
１…ディスク再生装置
２…ＣＰＵ
２１…検索部
２２…表示選択処理部
３…再生リスト管理テーブル
４…操作部
５…表示部
Ｐ…タッチパネル
ＦＲ，Ｆ１〜Ｆ４…フォルダ
Ｍ１〜Ｍ１６…ファイル
ＳＴＥＰ…手順の各ステップ
【図１】
2004030116.tif 000003
【図２】
2004030116.tif 000004
【図３】
2004030116.tif 000005
【図４】
2004030116.tif 000006
【図５】
2004030116.tif 000007